(57)【特許請求の範囲】
【請求項１】
チャンネル情報に基づき、処理するＣＰＵ（ＣＥＮＴＲＡＬＰＲＯＣＥＳＳＩＮＧ  ＵＮＩＴ）と、温度や周波数に対する減衰量の情報を記憶させておくＲＯＭ（ＲＥＡＤ  ＯＮＬＹ  ＭＥＭＯＲＹ）と、その処理された信号により制御される電圧可変減衰器と、信号の増幅に使われる増幅器と、その信号の周波数を変換するための周波数変換器と、その周波数から不要成分を除去するためのフィルタを含み、外部構造はＩＤＵ（ＩＮ  ＤＯＯＲ  ＵＮＩＴ）とＯＤＵ（ＯＵＴ  ＤＯＯＲ  ＵＮＩＴ）とに分離されている衛星通信用システムにおいて、ＯＤＵ（ＯＵＴ  ＤＯＯＲ  ＵＮＩＴ）の温度や周波数に対する利得変動の情報をＯＤＵ（ＯＵＴ  ＤＯＯＲ  ＵＮＩＴ）に設置されているＲＯＭ（ＲＥＡＤ  ＯＮＬＹ  ＭＥＭＯＲＹ）に記憶させ、その記憶された情報によりＩＤＵ（ＩＮ  ＤＯＯＲ  ＵＮＩＴ）に設置されている電圧可変減衰器を制御し、これにより総合の利得を略一定に、或いは任意の値に制御されるような送信用構造を持つ衛星通信用システム。
【請求項２】
上記衛星通信用システムにおいて、送信用構造と併せて、電圧可変減衰器と、信号の増幅に使われる増幅器と、その信号の周波数を変換するための周波数変換器と、その周波数から不要成分を除去するためのフィルタを含む受信用構造が設置され、ＯＤＵ（ＯＵＴ  ＤＯＯＲ  ＵＮＩＴ）の温度や周波数に対する利得変動の情報をＯＤＵ（ＯＵＴ  ＤＯＯＲ  ＵＮＩＴ）に設置されているＲＯＭ（ＲＥＡＤ  ＯＮＬＹ  ＭＥＭＯＲＹ）に記憶させ、その記憶された情報によりＩＤＵ（ＩＮ  ＤＯＯＲ  ＵＮＩＴ）に設置されている電圧可変減衰器を制御し、これにより総合の利得を略一定に、或いは任意の値に制御されるような送受信用構造を持つ請求項１記載の衛星通信用システム。
【請求項３】
上記衛星通信用システムにおいて、送受信用構造と併せて、ＣＰＵ（ＣＥＮＴＲＡＬ  ＰＲＯＣＥＳＳＩＮＧ  ＵＮＩＴ）と、ＲＯＭ（ＲＥＡＤ  ＯＮＬＹ  ＭＥＭＯＲＹ）と、増幅器等よりなるブースターアンプが設置され、ＯＤＵ（ＯＵＴ  ＤＯＯＲ  ＵＮＩＴ）の温度や周波数に対する利得変動の情報をＯＤＵ（ＯＵＴ  ＤＯＯＲ  ＵＮＩＴ）に設置されているＲＯＭ（ＲＥＡＤ  ＯＮＬＹ  ＭＥＭＯＲＹ）に記憶させ、その記憶された情報によりＩＤＵ（ＩＮ  ＤＯＯＲ  ＵＮＩＴ）に設置されている電圧可変減衰器を制御し、これにより総合の利得を略一定に、或いは任意の値に制御されるような送受信用構造を持つ請求項２記載の衛星通信用システム。
【発明の詳細な説明】
【０００１】
【発明の属する技術分野】
本発明は外部構造がＩＤＵ（ＩＮ  ＤＯＯＲ  ＵＮＩＴ、以下“ＩＤＵ”とだけ記す）とＯＤＵ（ＯＵＴ  ＤＯＯＲ  ＵＮＩＴ、以下“ＯＤＵ”とだけ記す）とよりなる衛星通信用システムについてである。従来からの方法では、ＩＤＵ或いはＯＤＵはそれぞれ単体で利得の温度補償を行っていたが、この方法では周波数特性や温度特性のバラツキが大きく、調整等が必要であった。そこで、本発明はＯＤＵの周波数や温度に対する利得をＯＤＵに設置されたＲＯＭ（ＲＥＡＤ  ＯＮＬＹ  ＭＥＭＯＲＹ、以下“ＲＯＭ”とだけ記す）に記憶させ、その信号によりＩＤＵの利得を可変させる構造とした。即ち本発明は、これにより従来からの方法の問題点を解決するための構造に関するものである。
【０００２】
【従来の技術】
従来の衛星通信用システムにおいては、ＩＤＵとＯＤＵはそれぞれ単体で利得の温度補償を行っていた。図４〜図６はその実例であり、図４は送信用の場合、図５は送受信用の場合、図６はブースターアンプ付き送受信用の場合を表している。
【０００３】
【発明が解決しようとする課題】
しかし、上記説明のような従来の衛星通信用システムにおいては、ＯＤＵで使用されるＣバンドやＫｕバンド等の高周波用増幅器の素子のバラツキや、これらがカスケード接続された段間の調整方法によるバラツキによって周波数特性や温度特性がそれぞれ大きくばらついてくる。このため複雑な温度補償回路や、何回も再調整や再温度試験が必要となっていた。
【０００４】
【課題を解決するための手段】
そこで本発明においては上記の課題を以下に示す第一〜第三の手段により解決した。まず第一に、チャンネル情報に基づき、処理するＣＰＵ（ＣＥＮＴＲＡＬＰＲＯＣＥＳＳＩＮＧ  ＵＮＩＴ、以下“ＣＰＵ”とだけ記す）１ａ及び１ｂと、温度や周波数に対する減衰量の情報を記憶させておくＲＯＭ２と、その処理された信号により制御される電圧可変減衰器３と、その他に信号の増幅に使われる増幅器と、その信号の周波数を変換するための周波数変換器と、その周波数から不要成分を除去するためのフィルタを含み、外部構造はＩＤＵ４とＯＤＵ５とに分離されている衛星通信用システムにおいて、ＯＤＵ５の温度や周波数に対する利得変動の情報をＯＤＵ５に設置されているＲＯＭ２に記憶させ、その記憶された情報によりＩＤＵ４に設置されている電圧可変減衰器３を制御し、これにより総合の利得を略一定に、或いは任意の値に制御されるような送信用構造を持つことを特徴とする手段によるものである。
【０００５】
次に第二に、上記衛星通信用システムにおいて、送信用構造と併せて、電圧可変減衰器６と、その他に信号の増幅に使われる増幅器と、その信号の周波数を変換するための周波数変換器と、その周波数から不要成分を除去するためのフィルタを含む受信用構造７が設置され、ＯＤＵ５の温度や周波数に対する利得変動の情報をＯＤＵ５に設置されているＲＯＭ２に記憶させ、その記憶された情報によりＩＤＵ４に設置されている電圧可変減衰器３及び電圧可変減衰器６を制御し、これにより総合の利得を略一定に、或いは任意の値に制御されるような送受信用構造を持つことを特徴とする手段によるものである。
【０００６】
次に第三に、上記衛星通信用システムにおいて、送受信用構造と併せて、ＣＰＵ８と、ＲＯＭ９と、その他に増幅器等よりなるブースターアンプ１０が設置され、ＯＤＵ５の温度や周波数に対する利得変動の情報をＯＤＵ５に設置されているＲＯＭ２に記憶させ、その記憶された情報によりＩＤＵ４に設置されている電圧可変減衰器３及び電圧可変減衰器６を制御し、これにより総合の利得を略一定に、或いは任意の値に制御されるような送受信用構造を持つことを特徴とする手段によるものである。
【０００７】
【発明の実施の形態】
以下に図１〜図３により、上記の各手段による本発明の実施形態を示す。図１は本発明の実施例の送信用の衛星通信用システムの模式的概略図である。ＯＤＵ５の温度とチャンネルに対する利得データをＲＯＭ２に記憶させておき、そしてＯＤＵ５のＣＰＵ１ａでデータ補間等の計算をさせ、その時点での温度及びチャンネルに対する利得情報をＩＤＵ４のＣＰＵ１ｂに伝達し、この情報を基にＩＤＵ４のＣＰＵ１ｂで、総合の利得が所望の数値になるように電圧可変減衰器３を可変させるようにしたものである。次に図２は図１に受信用構造７を付加して、送受信用構造を持つようにした衛星通信用システムの模式的概略図であり、更に図３は図２にブースターアンプ１０を付加した送受信用構造を持つ衛星通信用システムの模式的概略図である。
【０００８】
【発明の効果】
以上説明したように、本発明のように構成することにより、ＯＤＵ５単体での温度補償を必要とせず、ＩＤＵ４のＩＦ周波数帯での補償となるため、安価なシステムが構成できる。又、ブースターアンプ１０単体での温度補償は高周波高出力レベルでの温度補償となるので非常に難しいが、本発明によればブースターアンプ１０単体での温度補償及びチャンネル補償は不要と言う効果がある。
【図面の簡単な説明】
【図１】本発明の実施例であるところの衛星通信様システムの送信用の模式的概略図。
【図２】本発明の実施例であるところの衛星通信様システムの送受信用の模式的概略図。
【図３】本発明の実施例であるところの衛星通信様システムのブースターアンプ付き送受信用の模式的概略図。
【図４】従来の衛星通信様システムの送信用の模式的概略図。
【図５】従来の衛星通信様システムの送受信用の模式的概略図。
【図６】従来の衛星通信様システムのブースターアンプ付き送受信用の模式的概略図。
【符号の説明】
１ａ…ＣＰＵ
１ｂ…ＣＰＵ
２……ＲＯＭ
３……電圧可変減衰器
４……ＩＤＵ
５……ＯＤＵ
６……電圧可変減衰器
７……受信用構造
８……ＣＰＵ
９……ＲＯＭ
１０……ブースターアンプ
【図１】
0003869125.tif 000002
【図２】
0003869125.tif 000003
【図３】
0003869125.tif 000004
【図４】
0003869125.tif 000005
【図５】
0003869125.tif 000006
【図６】
0003869125.tif 000007